(57)【要約】  【課題】  検出感度を低感度から高感度に設定すると、強制的に高速動作させる設定が可能であって、かつ簡易な構成の漏電遮断器を提供する。  【解決手段】  漏電遮断器１００では、感度切換設定部１２０が高感度（３０ｍＡ）に設定されると、強制高速設定部１７０を介して、時延切換設定部１５０が時延時間なしで即時に動作する高速動作に設定される。このような漏電遮断器１００で漏電を検出したとき、時延切換設定部１５０は、漏電検出部１４０から駆動電圧信号を入力すると即時に、この駆動電圧信号を引き外し装置１６０へ出力し、引き外し装置１６０が図示しない主回路接点の開閉機構部を駆動して主回路を開路する。【選択図】  図１
2005327666.tif 000002
【特許請求の範囲】
【請求項１】
貫通する主回路導体の負荷電流中に含まれる不平衡電流に比例した２次出力電流信号を出力する零相変流器と、
高感度から低感度まで感度調節可能になされ、感度調節により設定された抵抗値に２次出力電流信号を流して検出動作電圧信号を出力させる感度切換設定部と、
感度切換設定部から出力された検出動作電圧信号よりノイズ成分を除去した検出動作電圧信号を出力するフィルタ回路と、
検出動作電圧信号の電圧値が予め定められている閾値を越えた場合には、駆動電圧信号を出力する漏電検出部と、
即時に動作させる高速動作か、または、時延時間経過させる時延動作かが設定可能になされ、高速動作時では駆動電圧信号を入力してから即時に、または、時延動作時では予め設定された時延時間経過後に駆動電圧信号を出力する時延切換設定部と、
駆動電圧信号を入力した場合に、主回路接点の開閉機構部を駆動して主回路を開路する引外し装置と、
感度切換設定部と機械的に連動し、感度切換設定部が高感度に設定されると同時に、時延切換設定部を高速動作に設定する強制高速設定部と、
を備えることを特徴とする漏電遮断器。
【請求項２】
請求項１に記載の漏電遮断器において、
前記時延切換設定部は、
漏電検出部と引き外し装置とを直接接続する高速導通部と、
時延時間の設定が可能となる時延切換スイッチと、
この時延切換スイッチにより設定された時延時間に応じて切換えられる複数の充電抵抗と、
これら充電抵抗により決定される充電電流で充電される充電回路と、
を備え、
感度切換設定部が高感度に設定されると強制高速設定部からの信号により高速導通部が選択されて漏電検出部が出力した駆動電圧信号を即時に引き外し装置へ出力する高速動作となり、また、感度切換設定部が高感度以外に設定されると強制高速設定部からの信号により時延切換スイッチにより設定された充電抵抗に漏電検出部が出力した駆動電圧信号が印加されて得られる充電電流で、充電回路が時延時間にわたり充電された後に駆動電圧信号を引き外し装置へ出力する時延動作となることを特徴とする漏電遮断器。
【請求項３】
貫通する主回路導体の負荷電流中に含まれる不平衡電流に比例した２次出力電流信号を出力する零相変流器と、
高感度から低感度まで感度調節可能になされ、感度調節により設定された抵抗値に２次出力電流信号を流して検出動作電圧信号を出力させる感度切換設定部と、
感度切換設定部から出力された検出動作電圧信号よりノイズ成分を除去した検出動作電圧信号を出力するフィルタ回路と、
即時に動作させる高速動作か、または、時延時間経過させる時延動作かが設定可能になされ、検出動作電圧信号の電圧値が予め定められている閾値を越えた場合には、高速動作時では検出動作電圧信号を入力してから即時に、または、時延動作時では予め設定された時延時間経過後に駆動電圧信号を出力する漏電検出部と、
駆動電圧信号を入力した場合に、主回路接点の開閉機構部を駆動するように動作させて主回路を開路する引外し装置と、
漏電検出部を高速動作させるか、または、時延動作させるかを、信号出力により設定する時延切換設定部と、
感度切換設定部と機械的に連動し、感度切換設定部を高感度に設定すると同時に、時延切換設定部が高速動作の信号出力を行うように設定する強制高速設定部と、
を備えることを特徴とする漏電遮断器。
【請求項４】
請求項３に記載の漏電遮断器において、
感度切換設定部が高感度に設定されると強制高速設定部からの信号により時延切換設定部は高速動作用の信号出力を漏電検出部へ出力することで、この漏電検出部は閾値を越える検出動作電圧信号を入力すると即時に駆動電圧信号を引き外し装置へ出力する高速動作となり、また、感度切換設定部が高感度以外に設定されると強制高速設定部からの信号により前記時延切換設定部は時延動作用の信号出力を漏電検出部へ出力することで、この漏電検出部は閾値を越える検出動作電圧信号を入力すると設定された時延時間経過後に駆動電圧信号を引き外し装置へ出力する時延動作となることを特徴とする漏電遮断器。
【請求項５】
請求項１〜請求項４の何れか一項に記載の漏電遮断器において、
強制高速設定部は、押し釦式強制高速スイッチであり、
前記感度切換設定部は、
スライド動作により位置に応じて感度を設定する感度切換用スライドスイッチと、
この感度切換用スライドスイッチを移動させる感度切換用スイッチカバーと、
感度切換用スイッチカバーと連接し、位置により押し釦式強制高速スイッチの押下または解放を行う感度切換用スイッチカバー延長部と、
を備え、
感度切換用スイッチカバーを操作して感度切換用スライドスイッチを高感度側へスライド移動させたときに感度切換用スイッチカバー延長部が移動して押し釦式強制高速スイッチを押下または解放することで高速動作に設定することを特徴とする漏電遮断器。
【発明の詳細な説明】
【技術分野】
【０００１】
本発明は、低電圧配電系統に適用する過電流保護及び地絡電流保護機能を備えた漏電遮断器に関する。
【背景技術】
【０００２】
交流電路における漏電発生による事故を防止するための漏電遮断器が、広く使用されている。これら漏電遮断器には、その遮断動作を行う漏電電流の値である感度電流の切り換えや、または、時延動作時間の設定値である時延時間の切り換えを可能としたものも知られている。
このような種類の漏電遮断器の従来技術としては、国内型の漏電遮断器と、外国型の漏電遮断器と、で大別される。まず国内型の漏電遮断器について図を参照しつつ説明する。図５は従来技術の国内型の漏電遮断器１０の構成図である。漏電遮断器１０は、零相変流器１１と、感度切換設定部１２と、フィルタ回路１３と、漏電検出部１４と、時延切換設定部１５と、引外し装置１６と、を備える。
【０００３】
このような回路構成の漏電遮断器１０は、以下のように動作する。
零相変流器１１では、鉄心１１ａに図示しない主回路導体が貫通され、主回路導体に通流する負荷電流中に地絡等により発生した地絡電流や漏電により発生した漏電電流（以下、これら電流を不平衡電流という）が含まれていると、その出力巻線１１ｂから不平衡電流に比例した２次出力電流信号を出力する。この２次出力電流信号は、感度切換設定部１２へ入力される。
【０００４】
感度切換設定部１２では、出力巻線１１ｂの両端に接続されている抵抗を、図示しない設定スイッチにより切換えることで抵抗値を変更して検出可能な２次出力電流信号を高感度から低感度まで段階的に感度調節できるようになされている。感度切換範囲は、１００ｍＡ／３００ｍＡ／５００ｍＡと設定可能であり、高感度（１００ｍＡ）から低感度（５００ｍＡ）まで感度設定が可能である。感度切換設定部１２は、感度調節により設定された抵抗値に２次出力電流信号を流して検出動作電圧信号を出力する。
【０００５】
フィルタ回路１３は、感度切換設定部１２を経て出力された検出動作電圧信号から誤動作の原因となるノイズ成分を除去した検出動作電圧信号を出力する。検出動作電圧信号は漏電検出部１４へ出力される。
漏電検出部１４は、検出動作電圧信号の電圧値が予め定められている閾値を越えた場合には、駆動電圧信号を出力する。駆動電圧信号は、時延切換設定部１５へ出力される。
【０００６】
時延切換設定部１５は、図示しないが時延時間の設定が可能となる時延切換スイッチと、この時延切換スイッチにより設定された時延時間に応じて切換えられる複数の充電抵抗と、これら抵抗により決定される充電電流で充電される充電回路とを内蔵しており、予め時延切換スイッチにより時延時間が設定されるとその時延時間に対応する充電抵抗が選択されて充電回路に接続されるものとする。このような時延切換設定部１５に駆動電圧信号が入力されると充電回路への充電が開始し、時延時間と一致する充電期間は充電回路からの出力が所定電圧とならず、時延時間経過後に充電終了して所定電圧に到達した駆動電圧信号を引き外し装置１６へ出力する。
引外し装置１６は、駆動電圧信号を入力した場合に、図示しない主回路接点の開閉機構部を駆動して主回路を開路する。
国内型はこのように、感度設定と時延設定とをそれぞれ独立して設定できるようになされている。
【０００７】
続いて外国型の漏電遮断器について説明する。外国型（詳しくは欧米諸国型）の漏電遮断器は、配線用遮断器に別構造の独立した漏電保護ユニットを組み合わせて使用している。この点について、図を参照しつつ説明する。図６は従来技術の外国型の漏電遮断器２０の構成図である。漏電遮断器２０は、零相変流器２１と、感度切換スイッチ２２と、フィルタ回路２３と、漏電検出部２４と、充電回路２５と、引外し装置２６を備える。
【０００８】
このような回路構成の漏電遮断器２０は、以下のように動作する。
零相変流器２１では、鉄心２１ａに図示しない主回路導体が貫通され、主回路導体に通流する負荷電流中に不平衡電流が含まれていると、その出力巻線２１ｂから不平衡電流に比例した２次出力電流信号を出力する。この２次出力電流信号は、感度切換設定部２２へ入力される。
【０００９】
感度切換設定部２２では、出力巻線２１ｂの両端に接続されている抵抗を、図示しない設定スイッチにより切換えることで抵抗値を変更して高感度から低感度まで段階的に感度調節できるようになされており、感度切換設定部２２は、感度調節により設定された抵抗値の抵抗に２次出力電流信号を流して検出動作電圧信号を出力する。なお、この感度切換設定部２２では感度切換を行う第１，第２の回路を備え、第１の回路では高感度から低感度まで感度切換を行うための回路であり、第２の回路では高感度に設定されたときは高速動作とし、それ以外を時延動作とするための回路である。
【００１０】
例えば、図６で示すように感度切換範囲は、３０ｍＡ／１００ｍＡ／３００ｍＡ／５００ｍＡとあり、先の図５で示した国内型の漏電遮断器１０と比較しても、より高感度（３０ｍＡ）に切換え可能である。そして、第１の回路が高感度設定（３０ｍＡ）とした際は、さらに第２の回路により強制的に高速動作するように設定され、高感度３０ｍＡ強制高速信号を、フィルタ回路２３、漏電検出部２４をとばして、時延切換設定部２５へ直接出力する。なお、この場合の時延切換設定部２５の動作は後述する。
まとめると、高感度（３０ｍＡ）の場合は時延切換設定部２５へ高感度３０ｍＡ強制高速信号が出力され、それ以外の感度（１００ｍＡ／３００ｍＡ／５００ｍＡ）の場合はフィルタ回路２３へ検出動作電圧信号が出力される。
【００１１】
フィルタ回路２３は、感度切換設定部２２を経て出力された検出動作電圧信号から誤動作の原因となるノイズ成分を除去した検出動作電圧信号を出力する。検出動作電圧信号は漏電検出部２４へ出力される。
漏電検出部２４は、検出動作電圧信号の電圧値が予め定められている閾値を越えた場合には、駆動電圧信号を出力する。駆動電圧信号は、時延切換設定部２５へ出力される。
【００１２】
時延切換設定部２５は、図示しないが時延時間の設定が可能となる時延切換スイッチと、この時延切換スイッチにより設定された時延時間に応じて切換えられる複数の充電抵抗と、これら抵抗により決定される充電電流で充電される充電回路とを内蔵しており、予め時延切換スイッチにより時延時間が設定されるとその時延時間に対応する充電抵抗が選択されて充電回路に接続されるものとする。このような時延切換設定部２５に駆動電圧信号が入力されると充電回路への充電が開始し、時延時間と一致する充電期間は充電回路からの出力が所定電圧とならず、時延時間経過後に充電終了して所定電圧に到達した駆動電圧信号を引き外し装置２６へ出力する。なお、先に説明した高感度３０ｍＡ強制高速信号を入力した場合には、時延切換設定部２５は、即座に引外し装置２６へ駆動電圧信号として出力する。
引外し装置２６は、駆動電圧信号を入力した場合に、図示しない主回路接点の開閉機構部を駆動して主回路を開路する。
外国型は時延設定をしたとしても高感度に設定した場合には強制的に高速動作するようになされている。
【００１３】
また、国内型の漏電遮断器の例として、特許文献１に開示された発明（発明の名称：漏電遮断器）が知られている。この特許文献１によれば、機械的構造により、感度電流切換えと時限切換えとを共に行う漏電遮断器が開示されている。
また、国内型の漏電遮断器の他の例として、特許文献２に開示された発明（発明の名称：漏電しゃ断器）が知られている。この特許文献２によれば、スイッチにより、感度電流切換えと時限切換えとを共に行う漏電しゃ断器が開示されている。
【００１４】
【特許文献１】特開平７−１４１９７９号公報      （段落番号０００９〜００１２，図１〜図４）
【特許文献２】実開昭６２−８２５４６号公報      （明細書第１３頁第１０行目〜第１４頁２行，第２図）
【発明の開示】
【発明が解決しようとする課題】
【００１５】
上記の図５の国内型の漏電遮断器１０は、感度切換設定部１２や時延切換設定部１５を一体に含む構造であるが、外国型のように高感度に設定すると同時に高速動作するものではなかった。
そこで、図６の外国型の漏電遮断器２０のように、高速動作と時延動作とを選択できるとともに高感度から低感度まで設定可能な設定機能をもち、高感度に設定する際には時延動作設定時でも強制的に高速動作に設定するような漏電遮断器にしたいという要請があるが、図６で示す従来技術の漏電遮断器２０では、感度切換設定部２２が第１，第２回路を有するため設置スペースを広くとり、コストがかかるという問題があった。
また、図６の外国型の漏電遮断器２０での感度切換設定部２２と時延切換設定部２５とを結ぶパターン配線では、高感度３０ｍＡ強制高速信号、つまり、振幅の小さい信号が通過することに起因してノイズに影響されやすいためノイズ対策が必要であり、配線パターンが複雑になるという問題があった。
【００１６】
そこで、本発明は上記した問題に鑑みてなされたものであり、その目的は、検出感度を低感度から高感度に設定すると、強制的に高速動作させる設定が可能であって、かつ簡易な構成の漏電遮断器を提供することにある。
【課題を解決するための手段】
【００１７】
上記課題を解決するため、本発明の請求項１に係る発明の漏電遮断器は、
貫通する主回路導体の負荷電流中に含まれる不平衡電流に比例した２次出力電流信号を出力する零相変流器と、
高感度から低感度まで感度調節可能になされ、感度調節により設定された抵抗値に２次出力電流信号を流して検出動作電圧信号を出力させる感度切換設定部と、
感度切換設定部から出力された検出動作電圧信号よりノイズ成分を除去した検出動作電圧信号を出力するフィルタ回路と、
検出動作電圧信号の電圧値が予め定められている閾値を越えた場合には、駆動電圧信号を出力する漏電検出部と、
即時に動作させる高速動作か、または、時延時間経過させる時延動作かが設定可能になされ、高速動作時では駆動電圧信号を入力してから即時に、または、時延動作時では予め設定された時延時間経過後に駆動電圧信号を出力する時延切換設定部と、
駆動電圧信号を入力した場合に、主回路接点の開閉機構部を駆動して主回路を開路する引外し装置と、
感度切換設定部と機械的に連動し、感度切換設定部が高感度に設定されると同時に、時延切換設定部を高速動作に設定する強制高速設定部と、
を備えることを特徴とする。
【００１８】
また、本発明の請求項２に係る発明の漏電遮断器は、
請求項１に記載の漏電遮断器において、
前記時延切換設定部は、
漏電検出部と引き外し装置とを直接接続する高速導通部と、
時延時間の設定が可能となる時延切換スイッチと、
この時延切換スイッチにより設定された時延時間に応じて切換えられる複数の充電抵抗と、
これら充電抵抗により決定される充電電流で充電される充電回路と、
を備え、
感度切換設定部が高感度に設定されると強制高速設定部からの信号により高速導通部が選択されて漏電検出部が出力した駆動電圧信号を即時に引き外し装置へ出力する高速動作となり、また、感度切換設定部が高感度以外に設定されると強制高速設定部からの信号により時延切換スイッチにより設定された充電抵抗に漏電検出部が出力した駆動電圧信号が印加されて得られる充電電流で、充電回路が時延時間にわたり充電された後に駆動電圧信号を引き外し装置へ出力する時延動作となることを特徴とする。
【００１９】
また、本発明の請求項３に係る発明の漏電遮断器は、
貫通する主回路導体の負荷電流中に含まれる不平衡電流に比例した２次出力電流信号を出力する零相変流器と、
高感度から低感度まで感度調節可能になされ、感度調節により設定された抵抗値に２次出力電流信号を流して検出動作電圧信号を出力させる感度切換設定部と、
感度切換設定部から出力された検出動作電圧信号よりノイズ成分を除去した検出動作電圧信号を出力するフィルタ回路と、
即時に動作させる高速動作か、または、時延時間経過させる時延動作かが設定可能になされ、検出動作電圧信号の電圧値が予め定められている閾値を越えた場合には、高速動作時では検出動作電圧信号を入力してから即時に、または、時延動作時では予め設定された時延時間経過後に駆動電圧信号を出力する漏電検出部と、
駆動電圧信号を入力した場合に、主回路接点の開閉機構部を駆動するように動作させて主回路を開路する引外し装置と、
漏電検出部を高速動作させるか、または、時延動作させるかを、信号出力により設定する時延切換設定部と、
感度切換設定部と機械的に連動し、感度切換設定部を高感度に設定すると同時に、時延切換設定部が高速動作の信号出力を行うように設定する強制高速設定部と、
を備えることを特徴とする。
【００２０】
また、本発明の請求項４に係る発明の漏電遮断器は、
請求項３に記載の漏電遮断器において、
感度切換設定部が高感度に設定されると強制高速設定部からの信号により時延切換設定部は高速動作用の信号出力を漏電検出部へ出力することで、この漏電検出部は閾値を越える検出動作電圧信号を入力すると即時に駆動電圧信号を引き外し装置へ出力する高速動作となり、また、感度切換設定部が高感度以外に設定されると強制高速設定部からの信号により前記時延切換設定部は時延動作用の信号出力を漏電検出部へ出力することで、この漏電検出部は閾値を越える検出動作電圧信号を入力すると設定された時延時間経過後に駆動電圧信号を引き外し装置へ出力する時延動作となることを特徴とする。
【００２１】
また、本発明の請求項５に係る発明の漏電遮断器は、
請求項１〜請求項４の何れか一項に記載の漏電遮断器において、
強制高速設定部は、押し釦式強制高速スイッチであり、
前記感度切換設定部は、
スライド動作により位置に応じて感度を設定する感度切換用スライドスイッチと、
この感度切換用スライドスイッチを移動させる感度切換用スイッチカバーと、
感度切換用スイッチカバーと連接し、位置により押し釦式強制高速スイッチの押下または解放を行う感度切換用スイッチカバー延長部と、
を備え、
感度切換用スイッチカバーを操作して感度切換用スライドスイッチを高感度側へスライド移動させたときに感度切換用スイッチカバー延長部が移動して押し釦式強制高速スイッチを押下または解放することで高速動作に設定することを特徴とする。
【発明の効果】
【００２２】
このような本発明によれば、検出感度を低感度から高感度に設定すると、強制的に高速動作させる設定とする漏電遮断器を提供できる。さらに、強制高速設定部を採用することで、感度切換設定部は一回路のみとなって小型化が実現され、また、感度切換設定部と時延切換設定部とを結ぶ配線パターンがなくなり、全体の配線パターンが縮小されるため、全体として簡易な構成の漏電遮断器を提供することができる。
【発明を実施するための最良の形態】
【００２３】
続いて、本発明を実施するための最良の形態について、図を参照しつつ説明する。図１は本形態の漏電遮断器１００の構成図である。漏電遮断器１００は、零相変流器１１０と、感度切換設定部１２０と、フィルタ回路１３０と、漏電検出部１４０と、時延切換設定部１５０と、引外し装置１６０と、強制高速設定部１７０と、を備える。本形態の漏電遮断器１００は、従来技術と重複する点もあるが、説明の都合上再度説明する。
【００２４】
このような回路構成の漏電遮断器１００は、以下のように動作する。
零相変流器１１０では、鉄心１１０ａに図示しない主回路導体が貫通され、主回路導体に通流する負荷電流中に不平衡電流が含まれていると、その出力巻線１１０ｂから不平衡電流に比例した２次出力電流信号を出力する。この２次出力電流信号は、感度切換設定部１２０へ入力される。
【００２５】
感度切換設定部１２０では、出力巻線１１０ｂの両端に接続されている抵抗を、図示しない設定スイッチにより切換えることで抵抗値を変更して高感度から低感度まで段階的に感度調節できるようになされており、感度調節により設定された抵抗値に２次出力電流信号を流して検出動作電圧信号を出力する。この感度切換設定部１２０は高感度から低感度まで感度切換を行えるようになされており、図１で示すように感度切換範囲は、３０ｍＡ／１００ｍＡ／３００ｍＡ／５００ｍＡと段階的に感度設定が可能である。
【００２６】
フィルタ回路１３０は、感度切換設定部１２０を経て出力された検出動作電圧信号から誤動作の原因となるノイズ成分を除去した検出動作電圧信号を出力する。検出動作電圧信号は漏電検出部１４０へ出力される。
漏電検出部１４０は、検出動作電圧信号の電圧値が予め定められている閾値を越えた場合には、駆動電圧信号を出力する。この駆動電圧信号は、時延切換設定部１５０へ出力される。
【００２７】
時延切換設定部１５０は、図示しないが時延時間の設定が可能となる時延切換スイッチと、この時延切換スイッチにより設定された時延時間に応じて切換えられる複数の充電抵抗と、これら抵抗により決定される充電電流で充電される充電回路（具体例としてはコンデンサである。）とを内蔵しており、予め時延切換スイッチにより時延時間が設定されるとその時延時間に対応する充電抵抗が選択されて充電回路に接続されるものとする。時延動作時においてこのような時延切換設定部１５０に駆動電圧信号が入力されると充電回路への充電が開始し、時延時間と一致する充電期間は充電回路からの出力が所定電圧とならず、時延時間経過後に充電終了して所定電圧に到達した駆動電圧信号を引き外し装置１６０へ出力する。
加えて時延切換設定部１５０は、漏電検出部１４０と引き外し装置１６０とを直接接続する高速導通部が設けられており、後述するが高速動作時に押し釦式強制高速スイッチ１７１のみにより選択される。
引外し装置１６０は、時延動作または高速動作の何れかの駆動電圧信号を入力した場合に、図示しない主回路接点の開閉機構部を駆動して主回路を開路する。
【００２８】
このような漏電遮断器１００では、図１で示すように感度切換設定部１２０の感度切換範囲は、機械的な感度切換スイッチを操作して３０ｍＡ／１００ｍＡ／３００ｍＡ／５００ｍＡと段階的に感度設定が可能である。そして、感度切換設定部１２０と機械的に操作が連動する強制高速設定部１７０を新たに設け、感度切換設定部１２０で高感度（３０ｍＡ）に設定されると、時延切換設定部１５０でいかような設定がされているかにかかわらずに、強制高速設定部１７０での設定を優先して強制的に高速動作に設定されるようにした。
【００２９】
このような感度切換設定部１２０、時延切換設定部１５０および強制高速設定部１７０の機械的構造について説明する。図２は感度切換設定部１２０、時延切換設定部１５０および強制高速設定部１７０の機械的連動構造の説明図であり、図２（ａ）は分解図、図２（ｂ）は組立て構造図である。図３は、感度切換設定部１２０、時延切換設定部１５０および強制高速設定部１７０の機械的連動構造の動作の説明図であり、図３（ａ）はスイッチの押下を示す図、図３（ｂ）はスイッチの解放を示す図である。
【００３０】
これら感度切換設定部１２０、時延切換設定部１５０および強制高速設定部１７０の機械的連動構造は、図２（ａ），（ｂ）で示すようになる。感度切換設定部１２０は、感度切換用スライドスイッチ１２１、感度切換用スイッチカバー１２２、感度切換用スイッチカバー延長部１２３、を備える。時延切換設定部１５０は、時延切換用スライドスイッチ１５１、時延切換用スイッチカバー１５２を備える。強制高速設定部１７０は、押し釦式強制高速スイッチ１７１を備える。こられ感度切換用スライドスイッチ１２１、時延切換用スライドスイッチ１５１、押し釦式強制高速スイッチ１７１は、プリント配線板１８０上に固定され、図示しないパターン配線上に電気的に接続されている。
【００３１】
図２（ｂ）で示すように、感度切換用スライドスイッチ１２１の上側には、感度切換用スイッチカバー１２２が設けられ、感度切換用スイッチカバー１２２を操作すると感度切換用スライドスイッチ１２１が移動する。この感度切換用スイッチカバー１２２では感度切換用スイッチカバー延長部１２３が機械的に一体となるように連結構成されており、感度切換用スイッチカバー１２２の移動とともに感度切換えスイッチカバー延長部１２３も同じ方向へ移動する。
なお、時延切換用スライドスイッチ１５１の上側にも、時延切換用スイッチカバー１５２が設けられ、時延切換用スイッチカバー１５２を操作すると時延切換用スライドスイッチ１５１も移動する。
これら感度切換用スイッチカバー１２２および移時延切換用スイッチカバー１５２は漏電遮断器１００の操作部として外部に現れるものであり、外部から操作し易い位置に配置される。
【００３２】
次に、図３（ａ），（ｂ）にて押し釦式強制高速スイッチ１７１の動作説明をする。低感度設定とする場合、図３（ａ）で示すように、感度切換用スイッチカバー１２２を操作して感度切換用スライドスイッチ１２１を矢印Ｂ方向に移動させる。この場合、感度切換用スイッチカバー延長部１２３も同じ方向へ移動するが、湾曲部１２３ａにより押し釦式強制高速スイッチ１７１が押下されて、次第に下側へ下降していき、最終的に図３（ａ）で示すように完全に押下された状態となる。この押し釦式強制高速スイッチ１７１が押下されると、時延切換設定部１５０で充電抵抗と充電回路とを通過するような経路が選択されて、漏電検出部１４０から出力される駆動電圧信号が充電抵抗に印可されて充電電流を出力し、この充電電流が充電回路に入力されると充電回路への充電を開始し、時延時間経過後に充電終了して所定電圧に到達した駆動電圧信号を引き外し装置１６０へ出力するため、時延動作をする。
【００３３】
しかしながら、高感度設定とする場合、図３（ｂ）で示すように、感度切換用スイッチカバー１２２を操作して感度切換用スライドスイッチ１２１を矢印Ｃ方向に移動させる。この場合、感度切換用スイッチカバー延長部１２３も同じ方向へ移動するが、湾曲部１２３ａにより押し釦式強制高速スイッチ１７１が解放されて、次第に上側へ上昇していき、最終的には図３（ｂ）で示すように完全に解放された状態となる。この押し釦式強制高速スイッチ１７１が解放されると、時延切換設定部１５０の内部で高速導通部が選択されて、漏電検出部１４０から出力される駆動電圧信号がそのまま引き外し装置１６０へ入力されるようになされる。これにより、高速動作を実現する。
【００３４】
このような構成を採用することで、感度切換設定部１２０は、一回路によるスイッチとなり、従来技術のような二回路によるスイッチの感度切換設定部と比較して、小型で低コストとなる。また感度切換設定部１２０と時延切換設定部１５０とを結ぶパターンがなくなり、配線パターンが縮小される。
さらに、全ての回路がフィルタ回路１３０，漏電検出部１４０を通過するため、この点でも配線パターンを省略できる。
【００３５】
続いて、本発明の他の形態について、図を参照しつつ説明する。図４は他の形態の漏電遮断器２００の構成図である。漏電遮断器２００は、零相変流器２１０と、感度切換設定部２２０と、フィルタ回路２３０と、漏電検出部２４０と、時延切換設定部２５０と、引外し装置２６０と、強制高速設定部２７０と、を備える。
本形態の漏電遮断器２００は、零相変流器２１０と、感度切換設定部２２０と、フィルタ回路２３０と、引外し装置２７０については先に説明した漏電遮断器１００の構成と同じであるが、漏電検出部２４０と、時延切換設定部２５０と、については機能を相違させている。これらの点について重点的に説明する。
【００３６】
漏電検出部２４０は、時延時間を０として即時に動作させる高速動作か、または、時延時間を設定して時延時間経過させた上で動作させる時延動作かが設定可能になる時延タイマを内蔵しており、検出動作電圧信号の電圧値が予め定められている閾値を越えた場合には、高速動作時では検出動作電圧信号を入力してから即時に、または、時延動作時では予め設定された時延時間経過後に駆動電圧信号を出力する。この駆動電圧信号は、引き外し装置２６０へ出力される。
【００３７】
時延切換設定部２５０は、図示しないが時延時間の設定が可能となる時延切換スイッチを内蔵しており、予め時延切換スイッチにより時延時間（０の場合は高速動作となる）が設定されると、漏電検出部２４０の時延タイマにＨｉｇｈまたはＬｏｗの二値信号を複数（図４では３ビットとなっている）送信して、時延時間を設定するものとする。なお、高速導通部の選択は強制高速設定部２７０から信号が入力された場合に行われるものであり、例えば、全部Ｈｉｇｈの二値信号や全部Ｌｏｗの二値信号が時延切換設定部２５０から出力されるものとする。
【００３８】
例えば、感度を高感度以外に選択するときは、図３（ａ）で示すように、押し釦式強制高速スイッチ１７１が押下される。この場合、時延切換設定部２５０で予め時延切換スイッチにより設定される時延時間を表すＨｉｇｈまたはＬｏｗの二値信号を、漏電検出部２４０の時延タイマに出力し続けるため、時延動作型の漏電遮断器とすることができる。
一方、感度を高感度に選択すると図３（ｂ）で示すように、押し釦式強制高速スイッチ１７１が解放される。この場合、例えば、時延切換設定部２５０でグランド電位に接続して、全てＬｏｗの二値信号として漏電検出部２４０の時延タイマに出力すると、漏電検出部２４０の時延タイマが時延時間０に設定して高速動作型の漏電遮断器２００とすることができる。なお、押し釦式強制高速スイッチ１７１が解放されたときに全てＨｉｇｈの二値信号として時延タイマが時延時間０に設定して高速動作とするような回路構成も可能である。このような漏電遮断器２００としても本発明の目的を果たすことが可能となる。
【００３９】
以上本発明の漏電遮断器１００，２００について説明した。図３，４で示した強制高速設定部１７０，２７０では押し釦式強制高速スイッチ１７１が押下されたときに時延動作が、また、押し釦式強制高速スイッチ１７１が解放されたときに高速動作がされるものとして説明した。
しかしながら、押し釦式強制高速スイッチ１７１が押下されたときに高速動作が、また、押し釦式強制高速スイッチ１７１が解放されたときに時延動作がされるように押し釦式強制高速スイッチ１７１や感度切換用スイッチカバー延長部１２３の位置・構造を変化させても良い。これら構造は適宜選択される。
【図面の簡単な説明】
【００４０】
【図１】本発明を実施するための最良の形態の漏電遮断器の構成図である。
【図２】感度切換設定部、時延切換設定部および強制高速設定部の機械的連動構造の説明図であり、図２（ａ）は分解図、図２（ｂ）は組立て構造図である。
【図３】感度切換設定部、時延切換設定部および強制高速設定部の機械的連動構造の動作の説明図であり、図３（ａ）はスイッチの押下を示す図、図３（ｂ）はスイッチの解放を示す図である。
【図４】他の形態の漏電遮断器の構成図である。
【図５】従来技術の国内型の漏電遮断器の構成図である。
【図６】従来技術の外国型の漏電遮断器の構成図である。
【符号の説明】
【００４１】
１００：漏電遮断器
１１０：零相変流器
１１０ａ：鉄心
１１０ｂ：出力巻線
１２０：感度切換設定部
１２１：感度切換用スライドスイッチ
１２２：感度切換用スイッチカバー
１２３：感度切換用スイッチカバー延長部
１２３ａ：湾曲部
１３０：フィルタ回路
１４０：漏電検出部
１５０：時延切換設定部
１５１：時延切換用スライドスイッチ
１５２：時延切換用スイッチカバー
１６０：引外し装置
１７０：強制高速設定部
１７１：押し釦式強制高速スイッチ
１８０：プリント配線板
２００：漏電遮断器
２１０：零相変流器
２１０ａ：鉄心
２１０ｂ：出力巻線
２２０：感度切換設定部
２３０：フィルタ回路
２４０：漏電検出部
２５０：時延切換設定部
２６０：引外し装置
２７０：強制高速設定部
【図１】
2005327666.tif 000003
【図２】
2005327666.tif 000004
【図３】
2005327666.tif 000005
【図４】
2005327666.tif 000006
【図５】
2005327666.tif 000007
【図６】
2005327666.tif 000008